(57)【要約】【課題】  紐状体を通して使用でき、簡単で確実に係止可能な開閉式止め具付きレザーフラワーリボンの提供。【解決手段】  開閉板１０と台座１５とが一体に又は別体に構成され、前後に開閉可能とするための連結部（例えばバネ機構１３又はヒンジ機構１６）と、被着体に仮着するための係止部を設けた開閉止め具【選択図】図２
0003124534.tif 000002
【実用新案登録請求の範囲】
【請求項１】
開閉板Ａと台座（止め基板）Ｂとが一体に又は別体に構成され、前後に開閉可能とするための連結部（例えばバネ機構又はヒンジ機構）Ｃと、開閉止め具を被着体に仮着するための突起、凹凸部又は布止め片等の係止部Ｄを設けた構造を有することを特徴とする、造花等の飾り用開閉止め具。
【請求項２】
飾りの裏面基部に挿入する台座Ｂと、該台座Ｂと共に互いにバネ機構Ｃを働かす開閉板Ａから構成され、該台座Ｂに２つの係止口を横並びに設け、且つ両端に折曲げ可能な突起付き布止め片を該係止口に通し衣装等の布地に刺して、布止め片付きの突起を折曲げ開閉止め具の台座Ｂと衣装等の布地とを一体に固定可能であり、
一方、開閉止め具を構成する開閉板Ａに突起を横並びに設け、衣装の造花取付位置に造花を差して開閉板Ａを閉めると、バネ機構Ｃが働き造花に取付けた開閉止め具が衣装の生地と固着可能であり、しかも、該開閉板Ａの突起が衣装の生地に食い込み固着を確実とする構造を有することを特徴とする、請求項１記載の造花等の飾り用開閉止め具。
【請求項３】
止め基板Ｂと開閉板Ａとは、互いにヒンジ機構Ｃを介して一体とされ、それら相対応する両端に互いに嵌合可能な凹凸部が設けられ、止め基板Ｂを衣装の生地に差し込み、開閉板Ａを閉じて飾り生地を挟み込み、該凹・凸部を嵌合させ固着する構造を有することを特徴とする、請求項１記載の造花等の飾り用開閉止め具。
【請求項４】
請求項１〜３のいずれかに記載の造花等の飾り用開閉止め具と共に、飾りの裏面基部に設けた通し口に通す紐状体をも備えること特徴とする、請求項１〜３のいずれかに記載の造花等の飾り用開閉止め具。
【考案の詳細な説明】
【技術分野】
【０００１】  本考案は、リボン、テープ等の紐状体を通して使用でき、簡単で確実に係止可能な開閉式止め具付きレザーフラワーリボンに関する。
特に、本考案は、開閉式止め具だけでなく、リボン、テープ等の紐状体を取り外し自在にした開閉式止め具付きレザーフラワーリボンに関する。
【背景技術】
【０００２】  従来、ブローチ等の装飾具としてのレザーフラワーは知られていたが、このものはレザーフラワー単独として用いる単品としか使用できない。また、デザイン的にもインパクトのある製品がない。
更に、種々の装飾具や造花等を衣装等に取り付ける止め具としては、例えば、造花等の芯部に取り付けるバネ付きホルダが知られているが（特許文献１）、この場合に単に軽く押さえるだけであるので、ポケット等に挿すと直ぐに抜ける恐れがある。
また、造花やリボンをテープに縫い付け、そのテープの両端をマジックテープ又はパッキン止めのホックで止める装飾バンドが知られているが（特許文献２）、造花はテープに縫い付けとなっているため、種々の形態で用いるためには、沢山のテープを必要とする問題点がある。【０００３】  リング中に設けた挟み板の間に造花の差込棒を挟み固定する花止め具が知られているが（特許文献３）、この花止め具は器具が大き過ぎて衣装等の花飾りとしては不向きである。
所定のケース内に設置したクリップに造花等を挿して調節ネジで締め固定するコサージ用止め具が知られているが（特許文献４）、このケースは大きくて実用性に欠ける問題点がある。
造花の中心部にヤジリ状止ピンを挿す止着装置が知られているが（特許文献５）、このヤジリ状止ピンは止ピンであるために、衣装等から簡単に抜け落ちる問題点がある。【０００４】
【特許文献１】  特開平９−２２８１２８号公報
【特許文献２】  特開平９−３１６７１９号公報
【特許文献３】  特開２００４−１７４２３９号公報
【特許文献４】  特開昭５６−７０８２９号公報
【特許文献５】  実開昭５７−１６７７２６号公報
【考案の開示】
【考案が解決しようとする課題】
【０００５】  上記のような各種の造花、リボン用止め金具が知られているが、衣装等から簡単に外れたり、その止め具の構造が複雑であったりして簡単に装着できない問題点があった。
【課題を解決するための手段】
【０００６】  本考案者等は上記課題について種々検討した結果、造花、リボン等の飾りをドレス、衣装、帽子、長靴等の一部や身体の一部を簡単に飾るための止め具として、特定構造の開閉止め具を新たに開発し、併せてテープのような紐状体をも挿通させたので、造花、リボン等の飾りを簡単且つ強固に衣服の一部や身体の一部に適用できることを見出した。
即ち、本考案は；
（１）開閉板１０Ａと台座（止め基板１８）１５Ｂとが一体に又は別体に構成され、前後に開閉可能とするための連結部（例えばバネ機構１３又はヒンジ機構１６）Ｃと、開閉止め具を被着体に仮着するための突起１２、凹凸部１７又は布止め片１４等の係止部Ｄを設けた構造を有するを提供する。また、【０００７】  （２）飾りの裏面基部に挿入する台座１５Ｂと、該台座１５Ｂと共に互いにバネ機構１３Ｃを働かす開閉板１０Ａから構成され、該台座１５Ｂに２つの係止口１１、１１を横並びに設け、且つ両端に折曲げ可能な突起付き布止め片１４を該係止口１１に通し衣装等の布地に刺して、布止め片１４付きの突起１２を折曲げ開閉止め具の台座１５Ｂと衣装等の布地とを一体に固定可能であり、
一方、開閉止め具を構成する開閉板１０Ａに突起１２を横並びに設け、衣装の造花取付位置に造花１を差して開閉板１０Ａを閉めると、バネ機構１３Ｃが働き造花に取付けた開閉止め具が衣装の生地と固着可能であり、しかも、該開閉板１０Ａの突起１２が衣装の生地に食い込み固着を確実とする構造を有する点にも特徴を有する。また、
（３）止め基板１８Ｂと開閉板１０Ａとは、互いにヒンジ機構１６Ｃを介して一体とされ、それら相対応する両端に互いに嵌合可能な凹凸部１７が設けられ、止め基板Ｂを衣装の生地に差し込み、開閉板Ａを閉じて飾り生地を挟み込み、該凹・凸部１７を嵌合させ固着する構造を有する点にも特徴を有する。また、
（４）（１）〜（３）のいずれかに記載の造花等の飾り用開閉止め具と共に、飾りの裏面基部に設けた通し口４に通す紐状体２をも備えた点にも特徴を有する。
【考案の効果】
【０００８】  （１）本考案の開閉止め具によると、飾りに簡単で確実に係止可能である利点がある。
（２）リボン・テープ  等の紐状体をも添えたので、美観上も良く、また開閉止め具と併用しても良いので、飾りの取付けがより確実となる。
（３）本考案の開閉止め具によると、従来品のように簡単に飾りが脱落することがない。
【考案を実施するための最良の形態】
【０００９】  以下、図面について説明する。
図１は、造花の萼部分にリボン・紐等の紐状体を通した状態を示す正面図である。
図２は、金属製開閉止め具を示し、（イ）はその拡大展開図を示し、（ロ）はその分解図を示す。
図３は、開閉止め具がプラスチック製の場合の例を示す。
図４は、通し口に紐状体を通し且つ開閉止め具を設けた造花の背面図を示す。
図５は、通し口に紐状体を通し且つ開閉止め具を設けた造花の側面図を示す。
図６は、図１のＡ−Ａ線の一部拡大断面図である。
図７は、本考案の造花の使用状態図を示し、（イ）はブーツ、（ロ）はバッグ、（ハ）は帽子の場合を示す。【００１０】  本考案を図面に基づいて詳細に説明する。
本考案の造花、リボン等の飾りをドレス、衣装、帽子、長靴等の一部や身体の一部に飾るための開閉止め具は、基本的に、開閉板と台座（止め基板）とが一体に又は別体に構成され、前後に開閉可能とするための連結部（例えばバネ機構又はヒンジ機構）と、開閉止め具を被着体に仮着するための突起、凹凸部又は布止め片等の係止部を設けた構造を有する。
本考案の造花、リボン等の飾りの素材としては、レザー、人造皮革、硬質プラスチックシート（硬質ビニル樹脂、ポリプロピレン等）、ガラス、セラミック（陶磁器材）、メタル材等広く適用できる。【００１１】  また、本考案の造花、リボン等の飾りとしては、開閉止め具を適用できるなら特に制限されない。
レザーフラワーリボンはあくまでも代表例であって、例えば、造花やリボン、カラフルな色合いの布地等の飾り、色鮮やかなプラスチック製の造花、ガラス製の美しい小物、ドレスの胸元のアクセントとしての飾りやドレスのビスチェの胸元の飾り等とその応用範囲は広い。
また、図７に示すように、（イ）ブーツの飾りに、（ロ）バッグの飾りに、（ハ）帽子の飾りにその開閉止め具の適用範囲は広い。
更に、本考案の造花等の素材は、特に制限されないが、美観等の点からレザーが好ましく、プラスチック製、特に腰を与えるためにシート状芯材をラミネートしたもの、布製、紙製等も場合に応じて使用できる。【００１２】  図２、３に基づいて、本考案の開閉止め具の代表例を説明する。
本考案の開閉止め具としては、金属製の場合に図２に示される構造が最も好ましい。
本考案の開閉止め具は、例えば造花裏面の中心をなす萼部分に取付ることが好ましいが、この位置に拘束されない。
本考案の開閉止め具の構造は、図２−（イ）の全体図に示すように、萼部分に挿入する台座１５とそれに互いにバネ機構を働かす開閉板１０から構成され、台座１５の横中央位置に２つの係止口１１、１１を設け、その２つの係止口に向け両端に折曲げ可能な突起付き布止め片１４で造花等の布地を止め、突起を折曲げて台座１５と造花１の布地とを一体に固定する。
一方、開閉板１０に２つの突起１２、１２を設け、衣装の造花取付位置に造花１を差して開閉板１０を閉めると、バネ機構が働いて造花１と衣装の取付位置、例えばポケットとがしっかりと固着する。
この際に、上記開閉板１０の突起１２、１２はドレス等のポケット地に食い込み固着をより確実にする。【００１３】  図２−（ロ）は、本考案の開閉止め具の基本要素である台座１５と開閉板１０との分解図を示す。
台座１５と開閉板１０とは、互いにバネ機構をも構成するために、鋼材で作られることが良く、他の部品、例えば布止片１４等は鋳物等の金物で構成されても良い。
このような開閉止め金具は、レザー等の厚手の生地製の飾りに適する。【００１４】  また、本考案の開閉止め具は、プラスチック製の場合には、図３に示されるように、硬質プラスチック部材を用い開閉機構にヒンジ構造を用いると、簡単に製造できる。
図３に示されるように、開閉板１９と止め基板１８（図２の台座に相当する）とからなる１枚の硬質プラスチック板の略中央部分にヒンジ機構１６を作り、更に相対応する両端に互いに嵌合可能な凸部１７と凹部１７’を１又は２個設けて開閉止め具とする。
この開閉止め具は、止め基板１８側を衣装等の差し込み口（図示していない）に差し、開閉板１９を閉じて造花の生地を挟み込み、上記凹・凸部１７、１７’で嵌合させると固着して、造花１が衣装等に簡単に固着する。
また、開閉止め具が衣装等の生地に接する面２０を褶曲又は粗面として滑り止め面とすることができる。【００１５】  本考案の造花等の開閉止め具には、図４に示されるように、造花等の飾りの基部（萼）に設けた通し口４を介してリボン・テープ等の紐状体２を通し、造花等の飾りと共に衣装やブーツ等に着帯させるので、装飾効果が上がると共に、被着体への飾りの固定に役立てることができる。
この紐状体の素材は、特に制限されないが、飾り材料と同一又は近い素材が良く、例えばレザー製造花にレザー製紐状体の組合わせが好ましい。
【産業上の利用可能性】
【００１６】  本考案の開閉止め具は、それ単独の使用のみならず、リボン、テープ等の紐状体を通して使用できるので、止め金具の利用範囲が拡大するのみならず、この開閉止め具によると、飾りを衣装等に簡単で確実に係止可能であるので、非常に有用な考案である。
【図面の簡単な説明】
【００１７】
【図１】  造花の萼部分にリボン・紐等の紐状体を通した状態を示す正面図である。
【図２】  金属製開閉止め具を示し、（イ）はその拡大展開図を示し、（ロ）はその分解図を示す。
【図３】  開閉止め具がプラスチック製の場合の例を示す。
【図４】  通し口に紐状体を通し且つ開閉止め具を設けた造花の背面図を示す。
【図５】  通し口に紐状体を通し且つ開閉止め具を設けた造花の側面図を示す。
【図６】  図１のＡ−Ａ線の一部拡大断面図である。
【図７】  本考案の造花の使用状態図を示し、（イ）はブーツ、（ロ）はバッグ、（ハ）は帽子の場合を示す。
【符号の説明】
【００１８】１  造花
２  紐状体
３  開閉止め具
４  通し口
１０  開閉板
１１  係止口
１２  突起
１３ａ  バネａ
１３ｂ  バネｂ
１４  布止め片
１５  台座
１６  ヒンジ部
１７  凸部
１７’凹部
１８  止め基板
１９  開閉板
２０  滑り止め
【図１】
0003124534.tif 000003
【図２】
0003124534.tif 000004
【図３】
0003124534.tif 000005
【図４】
0003124534.tif 000006
【図５】
0003124534.tif 000007
【図６】
0003124534.tif 000008
【図７】
0003124534.tif 000009
【手続補正書】
【提出日】平成18年5月23日(2006.5.23)
【手続補正１】
【補正対象書類名】実用新案登録請求の範囲
【補正対象項目名】全文
【補正方法】変更
【補正の内容】
【実用新案登録請求の範囲】
【請求項１】
開閉板と止め基板とが一体に或いは開閉板と台座とが別体に構成され、且つ該開閉板と該止め基板又は該台座とが前後に開閉可能とするための連結部とからなる開閉止め具であって、該開閉止め具を被着体に仮着するための突起、凹凸部又は布止め片等の係止部を設けた構造を有することを特徴とする、造花等の飾り用開閉止め具。
【請求項２】
飾りの裏面基部に挿入する台座と、該台座と共に互いにバネ機構からなる連結部を働かす開閉板から構成され、該台座に２つの係止口を横並びに設け、且つ両端に折曲げ可能な突起付き布止め片を該係止口に通し衣装等の布地に刺して、布止め片付きの突起からなる係止部を折曲げて開閉止め具の台座と衣装等の布地とを一体に固定可能であり、
一方、開閉止め具を構成する開閉板に突起を横並びに設け、衣装の造花取付位置に造花を差して開閉板を閉めると、バネ機構からなる連結部が働き造花に取付けた開閉止め具が衣装の生地と固着可能であり、しかも、該開閉板の突起からなる係止部が衣装の生地に食い込み固着を確実とする構造を有することを特徴とする、請求項１記載の造花等の飾り用開閉止め具。
【請求項３】
開閉板と止め基板とは、互いにヒンジ機構からなる連結部を介して一体とされ、それら相対応する両端に互いに嵌合可能な凹凸部からなる係止部が設けられ、止め基板を衣装の生地に差し込み、開閉板を閉じて飾り生地を挟み込み、該凹・凸部を嵌合させ固着する構造を有することを特徴とする、請求項１記載の造花等の飾り用開閉止め具。
【請求項４】
請求項１〜３のいずれかに記載の造花等の飾り用開閉止め具と共に、飾りの裏面基部に設けた通し口に通す紐状体をも備えること特徴とする、請求項１〜３のいずれかに記載の造花等の飾り用開閉止め具。
【手続補正２】
【補正対象書類名】明細書
【補正対象項目名】全文
【補正方法】変更
【補正の内容】
【考案の詳細な説明】
【技術分野】
【０００１】  本考案は、リボン、テープ等の紐状体を通して使用でき、簡単で確実に係止可能な開閉式止め具付きレザーフラワーリボンに関する。
特に、本考案は、開閉式止め具だけでなく、リボン、テープ等の紐状体を取り外し自在にした開閉式止め具付きレザーフラワーリボンに関する。
【背景技術】
【０００２】  従来、ブローチ等の装飾具としてのレザーフラワーは知られていたが、このものはレザーフラワー単独として用いる単品としか使用できない。また、デザイン的にもインパクトのある製品がない。
更に、種々の装飾具や造花等を衣装等に取り付ける止め具としては、例えば、造花等の芯部に取り付けるバネ付きホルダが知られているが（特許文献１）、この場合に単に軽く押さえるだけであるので、ポケット等に挿すと直ぐに抜ける恐れがある。
また、造花やリボンをテープに縫い付け、そのテープの両端をマジックテープ（登録商標）又はパッキン止めのホックで止める装飾バンドが知られているが（特許文献２）、造花はテープに縫い付けとなっているため、種々の形態で用いるためには、沢山のテープを必要とする問題点がある。【０００３】  リング中に設けた挟み板の間に造花の差込棒を挟み固定する花止め具が知られているが（特許文献３）、この花止め具は器具が大き過ぎて衣装等の花飾りとしては不向きである。
所定のケース内に設置したクリップに造花等を挿して調節ネジで締め固定するコサージ用止め具が知られているが（特許文献４）、このケースは大きくて実用性に欠ける問題点がある。
造花の中心部にヤジリ状止ピンを挿す止着装置が知られているが（特許文献５）、このヤジリ状止ピンは止ピンであるために、衣装等から簡単に抜け落ちる問題点がある。【０００４】
【特許文献１】  特開平９−２２８１２８号公報
【特許文献２】  特開平９−３１６７１９号公報
【特許文献３】  特開２００４−１７４２３９号公報
【特許文献４】  特開昭５６−７０８２９号公報
【特許文献５】  実開昭５７−１６７７２６号公報
【考案の開示】
【考案が解決しようとする課題】
【０００５】  上記のような各種の造花、リボン用止め金具が知られているが、衣装等から簡単に外れたり、その止め具の構造が複雑であったりして簡単に装着できない問題点があった。
【課題を解決するための手段】
【０００６】  本考案者等は上記課題について種々検討した結果、造花、リボン等の飾りをドレス、衣装、帽子、長靴等の一部や身体の一部を簡単に飾るための止め具として、特定構造の開閉止め具を新たに開発し、併せてテープのような紐状体をも挿通させたので、造花、リボン等の飾りを簡単且つ強固に衣服の一部や身体の一部に適用できることを見出した。
即ち、本考案は；
（１）開閉板１０と止め基板１８とが一体に或いは開閉板１０と台座１５とが別体に構成され、且つ該開閉板１０と該止め基板１８又は該台座１０とが前後に開閉可能とするための連結部とからなる開閉止め具であって、該開閉止め具３を被着体に仮着するための突起１２、凹凸部１７、１７’又は布止め片１４等の係止部を設けた構造を有する、造花等の飾り用開閉止め具を提供する。また、【０００７】  （２）飾りの裏面基部に挿入する台座１５と、該台座１５と共に互いにバネ機構１３からなる連結部を働かす開閉板１０から構成され、該台座１５に２つの係止口１１、１１を横並びに設け、且つ両端に折曲げ可能な突起付き布止め片１４を該係止口１１に通し衣装等の布地に刺して、布止め片１４付きの突起１２からなる係止部を折曲げて開閉止め具の台座１５と衣装等の布地とを一体に固定可能であり、
一方、開閉止め具を構成する開閉板１０に突起１２を横並びに設け、衣装の造花取付位置に造花１を差して開閉板１０を閉めると、バネ機構１３からなる連結部が働き造花１に取付けた開閉止め具３が衣装の生地と固着可能であり、しかも、該開閉板の突起からなる係止部が衣装の生地に食い込み固着を確実とする構造を有する、（１）記載の造花等の飾り用開閉止め具を提供する。また、
（３）開閉板１０と止め基板１８とは、互いにヒンジ機構１６からなる連結部を介して一体とされ、それら相対応する両端に互いに嵌合可能な凹凸部１７、１７’からなる係止部が設けられ、止め基板１８を衣装の生地に差し込み、開閉板１０を閉じて飾り生地を挟み込み、該凹・凸部１７、１７’を嵌合させ固着する構造を有する、（１）記載の造花等の飾り用開閉止め具を提供する。また、
（４）（１）〜（３）のいずれかに記載の造花等の飾り用開閉止め具３と共に、飾りの裏面基部に設けた通し口４に通す紐状体２をも備える、（１）〜（３）のいずれかに記載の造花等の飾り用開閉止め具を提供する。
【考案の効果】
【０００８】  （１）本考案の開閉止め具によると、飾りに簡単で確実に係止可能である利点がある。
（２）リボン・テープ  等の紐状体をも添えたので、美観上も良く、また開閉止め具と併用しても良いので、飾りの取付けがより確実となる。
（３）本考案の開閉止め具によると、従来品のように簡単に飾りが脱落することがない。
【考案を実施するための最良の形態】
【０００９】  以下、図面について説明する。
図１は、造花の萼部分にリボン・紐等の紐状体を通した状態を示す正面図である。
図２は、金属製開閉止め具を示し、（イ）はその拡大展開図を示し、（ロ）はその分解図を示す。
図３は、開閉止め具がプラスチック製の場合の例を示す。
図４は、通し口に紐状体を通し且つ開閉止め具を設けた造花の背面図を示す。
図５は、通し口に紐状体を通し且つ開閉止め具を設けた造花の側面図を示す。
図６は、図１のＡ−Ａ線の一部拡大断面図である。
図７は、本考案の造花の使用状態図を示し、（イ）はブーツ、（ロ）はバッグ、（ハ）は帽子の場合を示す。【００１０】  本考案を図面に基づいて詳細に説明する。
本考案の造花、リボン等の飾りをドレス、衣装、帽子、長靴等の一部や身体の一部に飾るための開閉止め具は、基本的に、開閉板と台座（止め基板）とが一体に又は別体に構成され、前後に開閉可能とするための連結部（例えばバネ機構又はヒンジ機構）と、開閉止め具を被着体に仮着するための突起、凹凸部又は布止め片等の係止部を設けた構造を有する。
本考案の造花、リボン等の飾りの素材としては、レザー、人造皮革、硬質プラスチックシート（硬質ビニル樹脂、ポリプロピレン等）、ガラス、セラミック（陶磁器材）、メタル材等広く適用できる。【００１１】  また、本考案の造花、リボン等の飾りとしては、開閉止め具を適用できるなら特に制限されない。
レザーフラワーリボンはあくまでも代表例であって、例えば、造花やリボン、カラフルな色合いの布地等の飾り、色鮮やかなプラスチック製の造花、ガラス製の美しい小物、ドレスの胸元のアクセントとしての飾りやドレスのビスチェの胸元の飾り等とその応用範囲は広い。
また、図７に示すように、（イ）ブーツの飾りに、（ロ）バッグの飾りに、（ハ）帽子の飾りにその開閉止め具の適用範囲は広い。
更に、本考案の造花等の素材は、特に制限されないが、美観等の点からレザーが好ましく、プラスチック製、特に腰を与えるためにシート状芯材をラミネートしたもの、布製、紙製等も場合に応じて使用できる。【００１２】  図２、３に基づいて、本考案の開閉止め具の代表例を説明する。
本考案の開閉止め具としては、金属製の場合に図２に示される構造が最も好ましい。
本考案の開閉止め具は、例えば造花裏面の中心をなす萼部分に取付ることが好ましいが、この位置に拘束されない。
本考案の開閉止め具の構造は、図２−（イ）の全体図に示すように、萼部分に挿入する台座１５とそれに互いにバネ機構を働かす開閉板１０から構成され、台座１５の横中央位置に２つの係止口１１、１１を設け、その２つの係止口に向け両端に折曲げ可能な突起付き布止め片１４で造花等の布地を止め、突起を折曲げて台座１５と造花１の布地とを一体に固定する。
一方、開閉板１０に２つの突起１２、１２を設け、衣装の造花取付位置に造花１を差して開閉板１０を閉めると、バネ機構が働いて造花１と衣装の取付位置、例えばポケットとがしっかりと固着する。
この際に、上記開閉板１０の突起１２、１２はドルス等のポケット地に食い込み固着をより確実にする。【００１３】  図２−（ロ）は、本考案の開閉止め具の基本要素である台座１５と開閉板１０との分解図を示す。
台座１５と開閉板１０とは、互いにバネ機構をも構成するために、鋼材で作られることが良く、他の部品、例えば布止片１４等は鋳物等の金物で構成されても良い。
このような開閉止め金具は、レザー等の厚手の生地製の飾りに適する。【００１４】  また、本考案の開閉止め具は、プラスチック製の場合には、図３に示されるように、硬質プラスチック部材を用い開閉機構にヒンジ構造を用いると、簡単に製造できる。
図３に示されるように、開閉板１９と止め基板１８（図２の台座に相当する）とからなる１枚の硬質プラスチック板の略中央部分にヒンジ機構１６を作り、更に相対応する両端に互いに嵌合可能な凸部１７と凹部１７’を１又は２個設けて開閉止め具とする。
この開閉止め具は、止め基板１８側を衣装等の差し込み口（図示していない）に差し、開閉板１９を閉じて造花の生地を挟み込み、上記凹・凸部１７、１７’で嵌合させると固着して、造花１が衣装等に簡単に固着する。
また、開閉止め具が衣装等の生地に接する面２０を褶曲又は粗面として滑り止め面とすることができる。【００１５】  本考案の造花等の開閉止め具には、図４に示されるように、造花等の飾りの基部（萼）に設けた通し口４を介してリボン・テープ等の紐状体２を通し、造花等の飾りと共に衣装やブーツ等に着帯させるので、装飾効果が上がると共に、被着体への飾りの固定に役立てることができる。
この紐状体の素材は、特に制限されないが、飾り材料と同一又は近い素材が良く、例えばレザー製造花にレザー製紐状体の組合わせが好ましい。
【産業上の利用可能性】
【００１６】  本考案の開閉止め具は、それ単独の使用のみならず、リボン、テープ等の紐状体を通して使用できるので、止め金具の利用範囲が拡大するのみならず、この開閉止め具によると、飾りを衣装等に簡単で確実に係止可能であるので、非常に有用な考案である。
【図面の簡単な説明】
【００１７】
【図１】  造花の萼部分にリボン・紐等の紐状体を通した状態を示す正面図である。
【図２】  金属製開閉止め具を示し、（イ）はその拡大展開図を示し、（ロ）はその分解図を示す。
【図３】  開閉止め具がプラスチック製の場合の例を示す。
【図４】  通し口に紐状体を通し且つ開閉止め具を設けた造花の背面図を示す。
【図５】  通し口に紐状体を通し且つ開閉止め具を設けた造花の側面図を示す。
【図６】  図１のＡ−Ａ線の一部拡大断面図である。
【図７】  本考案の造花の使用状態図を示し、（イ）はブーツ、（ロ）はバッグ、（ハ）は帽子の場合を示す。
【符号の説明】
【００１８】１  造花
２  紐状体
３  開閉止め具
４  通し口
１０  開閉板
１１  係止口
１２  突起
１３ａ  バネａ
１３ｂ  バネｂ
１４  布止め片
１５  台座
１６  ヒンジ部
１７  凸部
１７’凹部
１８  止め基板
１９  開閉板
２０  滑り止め